(57)【要約】【課題】動画撮影中に動きのある被写体の静止画を撮影する場合であっても合焦状態が良好な静止画を生成する。【解決手段】撮像装置は、被写体を撮像して画像信号を出力する撮像手段と、動画データを生成する動画生成手段と、動画データの生成中に生じた静止画撮影指示に応じて、静止画データを生成する静止画生成手段と、撮影光学系の焦点状態を検出して焦点状態を調節する焦点調節手段と、動画データを生成している際に、静止画撮影準備指示に応じて焦点調節手段による撮影光学系の調節が行われたときの撮影光学系の調節量が所定量以上か否かを判定する第１判定手段と、調節量が所定量以上の場合には、静止画データの撮影枚数を複数枚に設定し、調節量が所定量未満の場合には、撮影枚数を複数枚よりも少ない枚数に設定する撮影枚数設定手段と、静止画生成手段に、設定された撮影枚数の静止画データを生成させる静止画生成制御手段とを備える。【選択図】図１
2015088893.tif 000002
【特許請求の範囲】
【請求項１】
撮影光学系を介して被写体を撮像して画像信号を出力する撮像手段と、
前記画像信号を用いて動画データを生成する動画生成手段と、
前記動画データの生成中に生じた静止画撮影指示に応じて、前記画像信号を用いて静止画データを生成する静止画生成手段と、
前記撮影光学系の焦点状態を検出して、前記撮影光学系の焦点状態を調節する焦点調節手段と、
前記動画データを生成している際に、静止画撮影準備指示に応じて前記焦点調節手段による前記撮影光学系の調節が行われたときの前記撮影光学系の調節量が所定量以上か否かを判定する第１判定手段と、
前記第１判定手段により前記調節量が前記所定量以上と判定された場合には、前記静止画生成手段により生成される前記静止画データの撮影枚数を複数枚に設定し、前記調節量が前記所定量未満と判定された場合には、前記撮影枚数を前記複数枚よりも少ない枚数に設定する撮影枚数設定手段と、
前記静止画生成手段に、前記撮影枚数設定手段により設定された前記撮影枚数の前記静止画データを生成させる静止画生成制御手段と、を備えることを特徴とする撮像装置。
【請求項２】
請求項１に記載の撮像装置において、
前記焦点調節手段は、前記動画データを生成中には所定の精度で前記撮影光学系の焦点状態を調節し、前記静止画データを生成する際には前記所定の精度よりも高精度で前記撮影光学系の焦点状態を調節することを特徴とする撮像装置。
【請求項３】
請求項１または２に記載の撮像装置において、
前記静止画撮影準備指示が受け付けられるまでは、前記動画データが生成されている間に前記焦点調節手段による前記撮影光学系の調節量に応じて前記静止画生成手段が生成する前記静止画データの撮影枚数を事前に設定する撮影枚数事前設定手段と、
前記静止画撮影準備指示が受け付けられた場合には、前記第１判定手段による判定結果に応じて、前記撮影枚数事前設定手段によって事前に設定された前記撮影枚数の変更の要否を判定する第２判定手段と、をさらに備え、
前記第２判定手段により前記事前に設定された撮影枚数の変更が必要と判定された場合には、前記静止画生成制御手段は、前記撮影枚数設定手段により設定された前記撮影枚数の前記静止画データを前記静止画生成手段に生成させることを特徴とする撮像装置。
【請求項４】
請求項３に記載の撮像装置において、
前記撮影枚数事前設定手段は、前記動画データが生成されている間における前記焦点調節手段による前記撮影光学系の調節量が第１の所定量以上の場合には、前記撮影枚数を複数枚に設定し、
前記第２判定手段は、前記第１判定手段により前記撮影光学系の調節量が第２の所定量以上と判定された場合には、前記撮影枚数事前設定手段により事前に設定された前記撮影枚数の変更を不要と判定し、
前記撮影枚数設定手段は、前記撮影枚数を前記複数枚に設定することを特徴とする撮像装置。
【請求項５】
請求項３または４に記載の撮像装置において、
前記撮影枚数事前設定手段は、前記動画データが生成されている間における前記焦点調節手段による前記撮影光学系の調節量が前記第１の所定量未満の場合には、前記撮影枚数を前記少ない枚数に設定し、
前記第２判定手段は、前記第１判定手段により前記撮影光学系の調節量が前記第２の所定量以上と判定された場合には、前記撮影枚数事前設定手段により事前に設定された前記撮影枚数の変更を必要と判定し、前記第１判定手段により前記撮影光学系の調節量が前記第２の所定量未満と判定された場合には、前記撮影枚数事前設定手段により事前に設定された前記撮影枚数の変更を不要と判定し、
前記撮影枚数設定手段は、前記第２判定手段により前記事前に設定された撮影枚数の変更が必要と判定された場合には、前記撮影枚数を複数枚に設定し、前記第２判定手段により前記撮影枚数の変更が不要と判定された場合には、前記撮影枚数を前記少ない枚数に設定することを特徴とする撮像装置。
【請求項６】
請求項１乃至５の何れか一項に記載の撮像装置において、
前記撮影枚数設定手段により前記撮影枚数が複数枚に設定されている場合には、前記静止画生成制御手段は、前記静止画生成手段に連続して複数枚の前記静止画データを生成させることを特徴とする撮像装置。
【請求項７】
請求項６に記載の撮像装置において、
連続して複数枚の前記静止画データを生成している際に、前記焦点調節手段により前記撮影光学系の焦点状態が合焦と見なせる範囲であることが検出された場合には、前記静止画生成制御手段は、前記静止画生成手段による前記静止画データの生成を終了させることを特徴とする撮像装置。
【請求項８】
請求項１乃至７の何れか一項に記載の撮像装置において、
前記静止画生成手段により生成された複数枚の前記静止画データのうち、最も合焦状態が良い静止画データを記録媒体に記録する記録制御手段をさらに備えることを特徴とする撮像装置。
【請求項９】
請求項１乃至８の何れか一項に記載の撮像装置において、
画像上の人物の顔を認識する顔認識手段をさらに備え、
前記第１判定手段は、前記静止画撮影準備指示に応じて前記顔認識手段によって認識された人物の顔に対する前記撮影光学系の調節量が所定量以上か否かを判定することを特徴とする撮像装置。
【発明の詳細な説明】
【技術分野】
【０００１】
本発明は、撮像装置に関する。
【背景技術】
【０００２】
従来から、動画撮影中に静止画を撮影して記録することが可能に構成されたカメラが知られている（たとえば特許文献１）。このカメラでは、通常の静止画撮影用の焦点調節のためにレンズが駆動できる範囲と比べて、動画撮影中に静止画撮影用の焦点調節のためにレンズが駆動できる範囲を狭い範囲に制限し、静止画撮影用の焦点調節が動作撮影に与える影響を抑制している。
【先行技術文献】
【特許文献】
【０００３】
【特許文献１】特開２００６−３２５１９４号公報
【発明の概要】
【発明が解決しようとする課題】
【０００４】
しかしながら、焦点調節のためにレンズが駆動できる範囲が狭く制限されているので、動画撮影中に動きのある被写体を静止画撮影する場合には良好な合焦状態が得られていない静止画が生成されるという問題がある。
【課題を解決するための手段】
【０００５】
請求項１に記載の撮像装置は、撮影光学系を介して被写体を撮像して画像信号を出力する撮像手段と、画像信号を用いて動画データを生成する動画生成手段と、動画データの生成中に生じた静止画撮影指示に応じて、画像信号を用いて静止画データを生成する静止画生成手段と、撮影光学系の焦点状態を検出して、撮影光学系の焦点状態を調節する焦点調節手段と、動画データを生成している際に、静止画撮影準備指示に応じて焦点調節手段による撮影光学系の調節が行われたときの撮影光学系の調節量が所定量以上か否かを判定する第１判定手段と、第１判定手段により調節量が所定量以上と判定された場合には、静止画生成手段により生成される静止画データの撮影枚数を複数枚に設定し、調節量が所定量未満と判定された場合には、撮影枚数を複数枚よりも少ない枚数に設定する撮影枚数設定手段と、静止画生成手段に、撮影枚数設定手段により設定された撮影枚数の静止画データを生成させる静止画生成制御手段と、を備えることを特徴とする。
【発明の効果】
【０００６】
本発明によれば、動画撮影中に静止画の撮影準備指示が行われた際の撮影光学系の調節量に応じて設定された撮影枚数の静止画が生成されるので、動きのある被写体であっても合焦状態が良好な静止画を生成できる。
【図面の簡単な説明】
【０００７】
【図１】第１の実施の形態によるデジタルカメラの要部構成を説明するブロック図
【図２】撮影レンズの調節量と撮影枚数との関係を模式的に示す図
【図３】第１の実施の形態によるデジタルカメラの処理を説明するフローチャート
【図４】第２の実施の形態によるデジタルカメラの要部構成を説明するブロック図
【図５】第２の実施の形態によるデジタルカメラの処理を説明するフローチャート
【発明を実施するための形態】
【０００８】
−第１の実施の形態−
図面を参照して、本発明による第１の実施の形態におけるデジタルカメラを説明する。図１はデジタルカメラ１の要部構成を示すブロック図である。デジタルカメラ１は、撮影レンズＬ１、撮像素子１０１、Ａ／Ｄ変換器１０２、内部メモリ１０３、制御回路１０４、画像処理部１０５、ＬＣＤ駆動回路１０７、液晶表示器１０８、操作部１０９およびメモリカードインタフェース１１０を備えている。撮影レンズＬ１は、結像レンズや焦点調節レンズ等の種々の光学レンズ群を含んで構成される。なお、図１では撮影レンズＬ１を１枚のレンズで代表して表している。
【０００９】
撮像素子１０１は、撮像面上において行列状に多数配列されたＣＣＤやＣＭＯＳ等の光電変換素子（画素）や画素の駆動を制御する各種の回路により構成される。撮像素子１０１は、撮影レンズＬ１を通して入力される被写体像を撮像し、撮像して得た画像信号を出力する。なお、本実施の形態における撮像素子１０１は、一例として１０Ｍｐｉｘｅｌの画素数を有しているものとして説明する。Ａ／Ｄ変換器１０２は、撮像素子１０１からの画像信号を、アナログ信号からデジタル信号に変換して出力する。撮像素子１０１による画像信号の出力およびＡ／Ｄ変換器１０２による変換は、後述する制御回路１０４の制御に応じて同期して行われる。
【００１０】
内部メモリ１０３は、たとえばＤＲＡＭやＳＲＡＭ等の高速でのデータの読出し書き込みが可能な揮発性の記録媒体である。Ａ／Ｄ変換器１０２によりデジタル信号に変換された画像信号は、制御回路１０４により制御されて、内部メモリ１０３に一旦格納される。内部メモリ１０３は、連写撮影、動画撮影等の高速で連続的に画像データが生成される際に、後述する画像処理部１０５による画像処理を開始するまで画像信号を待機させるバッファメモリとして機能するとともに、画像処理部１０５による画像処理および圧縮処理を行う際のワークメモリとしても機能する。なお、内部メモリ１０３は、後述する動画データを格納するための動画格納領域と、静止画データを格納するための静止画格納領域とを有している。
【００１１】
制御回路１０４は、図示しないＣＰＵ、ＲＯＭ、ＲＡＭなどを有し、制御プログラムに基づいて、デジタルカメラ１の各構成要素を制御したり、各種のデータ処理を実行する演算回路である。制御プログラムは、制御回路１０４内の不図示の不揮発性メモリに格納されている。制御回路１０４は、焦点調節部１０４ａと、調節量判定部１０４ｂと、第１撮影枚数設定部１０４ｃと、第２撮影枚数設定部１０４ｄと、枚数変更判定部１０４ｅと、静止画撮影制御部１０４ｆと、記録制御部１０４ｇとを機能として備える。焦点調節部１０４ａ、調節量判定部１０４ｂ、第１撮影枚数設定部１０４ｃ、第２撮影枚数設定部１０４ｄ、枚数変更判定部１０４ｅ、静止画撮影制御部１０４ｆおよび記録制御部１０４ｇによる処理の詳細については、説明を後述する。
【００１２】
画像処理部１０５は、Ａ／Ｄ変換器１０２から出力された画像信号に対して種々の画像処理を施して画像データを生成する。また、画像処理部１０５は、内部メモリ１０３に格納されている画像データやメモリカード１１１に記録されている画像データに基づいて、後述する液晶表示器１０８に表示するための表示画像データを生成する。
【００１３】
画像処理部１０５は、静止画処理部１０５ａおよび動画処理部１０５ｂを機能的に備える。静止画処理部１０５ａは、撮像素子１０１から出力された画像信号を用いて、静止画データを生成する。動画処理部１０５ｂは、撮像素子１０１から出力された画像信号を用いて動画データを生成する。
【００１４】
ＬＣＤ駆動回路１０７は、制御回路１０４の命令に基づいて液晶表示器１０８を駆動する回路である。液晶表示器１０８は、画像処理部１０５で作成された表示画像データに対応する画像の表示を行う。液晶表示器１０８には、デジタルカメラ１の各種動作を設定するためのメニュー画面が表示される。
【００１５】
操作部１０９はユーザによって操作される種々の操作部材に対応して設けられた種々のスイッチを含み、操作部材の操作に応じた操作信号を制御回路１０２へ出力する。操作部材は、たとえばレリーズボタンや、液晶表示器１０８にメニュー画面を表示させるためのメニューボタンや、各種の設定等を選択操作する時に操作される十字キー、十字キーにより選択された設定等を決定するための決定ボタン、撮影モードと再生モードとの間でデジタルカメラ１の動作を切替えるモード切替ボタン等を含む。また、操作部１０９により、撮像モードとして静止画撮影モードや動画撮影モードの設定が可能である。なお、本実施の形態のデジタルカメラ１では、動画撮影モードにより動画撮影中であっても、ユーザによりレリーズボタンが操作された場合や、静止画を自動的に撮影するための条件（静止画撮影条件）が満たされた場合には、そのタイミングにて静止画を撮影することが可能に構成されている。
【００１６】
メモリカードインタフェース１１０は、メモリカード１１１が着脱可能なインタフェースである。メモリカードインタフェース１１０は、制御回路１０４の制御に基づいて、画像ファイルをメモリカード１１１に書き込んだり、メモリカード１１１に記録されている画像ファイルを読み出すインタフェース回路である。メモリカード１１１はコンパクトフラッシュ（登録商標）やＳＤカードなどの半導体メモリカードである。
【００１７】
本実施の形態におけるデジタルカメラ１の動作について説明する。以下、ユーザの操作部１０９の操作によって動画撮影モードが設定された場合を中心に説明する。
ユーザによりレリーズボタンが操作されて、操作部１０９から動画撮影の開始操作を示す操作信号が出力されると、制御回路１０４は、撮像素子１０１およびＡ／Ｄ変換器１０２とを制御して、所定のフレームレート、たとえば秒間３０フレームにて連続して被写体像を撮像して得られた画像データを逐次出力させる。逐次出力された画像データは、内部メモリ１０３の動画格納領域に順次格納され、画像処理部１０５の動画処理部１０５ｂによって順次フレーム画像化される。
【００１８】
動画処理部１０５ｂは、フレーム画像化された画像データを、所定の画素数（たとえば１フレームに対して２ＭＰｉｘｅｌ）となるようにダウンサイズして動画データとして、再度内部メモリ１０３の動画格納領域に格納する。所定枚数分の動画データが生成されると、動画処理部１０５ｂは、フレーム内符号化、フレーム間符号化等の処理を施し、たとえばＭＰＥＧ形式の動画ファイルとして記録制御部１０４ｇによってメモリカード１１１に記録される。
【００１９】
画像処理部１０５は、フレーム画像化された画像データの画素数をさらにダウンサイズさせることにより表示画像データを生成して、ＬＣＤ駆動回路１０７を介して液晶表示器１０８に表示画像データに対応する動画を表示させる。この結果、ユーザは、動画撮影中の被写体像を液晶表示器１０８により観察することができる。
【００２０】
上記のように動画データの各フレーム画像が生成される際に、焦点調節部１０４ａは撮影レンズＬ１の焦点状態を検出して、撮影レンズＬ１を合焦位置へ駆動させる。なお、焦点調節部１０４ａは、公知の位相差方式を用いてもよいし、コントラスト方式を用いてもよい。位相差方式を用いる場合には、撮像素子１０１が焦点検出信号を出力するための焦点検出用画素を備えるように構成されることが好ましい。焦点調節部１０４ａは、焦点状態を調節するために実際に駆動した撮影レンズＬ１の駆動量を調節量として算出する。なお、位相差方式を用いる場合には、焦点調節部１０４ａは、焦点検出信号に基づいて算出された像ずれ量またはデフォーカス量を、実際に駆動した撮影レンズＬ１駆動量に代えて調節量として算出することができる。焦点調節部１０４ａにより撮影レンズＬ１の調節量が算出されると、第２撮影枚数設定部１０４ｄにより、静止画の撮影が指示されるときの静止画の撮影枚数の設定が行われる。
【００２１】
図２に、撮影レンズＬ１の調節量と撮影枚数との関係を模式的に示す。図２では、時間の経過とともに変化する撮影レンズＬ１の調節量に符号Ｌ１０を付与して示し、合焦位置までの撮影レンズＬ１の駆動量が所定量となる位置を破線Ｌ２０にて示す。撮影レンズＬ１が時刻Ｓ１で調節された場合には、調節量は所定量を超えているので第２撮影枚数設定部１０４ｄは、静止画の撮影枚数を複数枚に設定する。撮影レンズＬ１が時刻Ｓ２で調節された場合には、調節量は所定量未満なので、第２撮影枚数設定部１０４ｄは、静止画の撮影枚数を１枚に設定する。なお、この所定量は、実験等に基づいて、撮影の対象となる被写体が動きのある移動被写体の場合であっても、移動被写体の動きに追従して焦点調節が可能な撮影レンズＬ１の調節量として設定され、予め所定のメモリ（不図示）に記憶されているものとする。
【００２２】
次に、動画撮影モードによる動画撮影中の静止画の撮影処理について説明する。本実施の形態のデジタルカメラ１では、動画撮影中に、ユーザによる静止画の撮影操作に応じて手動静止画データを生成する手動撮影処理と、所定条件である静止画取得条件が満たされた場合に自動静止画データを生成する自動撮影処理とを行う。以下は、手動撮影処理と自動撮影処理とに分けて説明を行う。
【００２３】
−手動撮影処理−
動画撮影中にユーザによるレリーズボタンの半押し操作に応じて、操作部１０９から操作信号が出力されると、制御回路１０４は、撮影準備指示が行われたと判定する。撮影準備指示が行われると、焦点調節部１０４ａは、静止画撮影用に改めて、撮影レンズＬ１の焦点状態の調節を行い、撮影レンズＬ１の調節量を算出する。ただし、焦点調節部１０４ａは、静止画撮影用に焦点調節をする場合には、合焦状態とみなす撮影レンズＬ１の位置を動画撮影時と比べて狭い範囲とすることにより、動画撮影時よりも高精度に焦点調節を行う。調節量判定部１０４ｂは、焦点調節部１０４ａにより算出された撮影レンズＬ１の調節量が所定量以上か否かを判定する。
【００２４】
第１撮影枚数設定部１０４ｃは、調節量判定部１０４ｂによる判定結果に応じて、動画を撮影中に撮影する静止画の枚数を設定する。本実施の形態では、調節量判定部１０４ｂにより調節量が所定量以上と判定された場合（図２において撮影準備が時刻Ｓ１に行われた場合）には、第１撮影枚数設定部１０４ｃは、静止画の撮影枚数を複数枚（たとえば５枚）に設定する。調節量が所定量未満の場合（図２において撮影準備が時刻Ｓ２に行われた場合）には、調節量判定部１０４ｂは静止画の撮影枚数を１枚に設定する。第１撮影枚数設定部１０４ｃにより撮影枚数が設定されると、枚数変更判定部１０４ｅは、動画を撮影中に第２撮影枚数設定部１０４ｄにより設定された撮影枚数と、動画を撮影中に静止画の撮影準備が指示された第１撮影枚数設定部１０４ｃにより設定された撮影枚数とを比較する。第１撮影枚数設定部１０４ｃにより設定された撮影枚数と、第２撮影枚数設定部１０４ｄにより設定された撮影枚数とが異なる場合には、枚数変更判定部１０４ｅは、静止画の撮影枚数を第１撮影枚数設定部１０４ｃにより設定された撮影枚数に変更して設定する。
【００２５】
ユーザによるレリーズボタンの全押し操作に応じて操作部１０９より操作信号が出力されると、制御回路１０４は静止画の撮影指示が行われたものと判定する。撮影指示が行われると、静止画撮影制御部１０４ｆは、撮像素子１０１およびＡ／Ｄ変換器１０２を制御して、第１撮影枚数設定部１０４ｃまたは第２撮影枚数設定部１０４ｄによって設定された撮影枚数の静止画が生成可能となるように、画像信号を出力させる。撮影枚数が複数枚に設定されている場合には、静止画撮影制御部１０４ｆは、連続して静止画を生成可能となるように、撮像素子１０１から画像信号を出力させる。この場合、静止画撮影制御部１０４ｆは、各静止画の撮影に対して焦点調節部１０４ａによる焦点状態の調節がそれぞれ可能となるタイミングで撮像素子１０１から画像信号が出力されるように制御を行う。
【００２６】
画像処理部１０５の静止画処理部１０５ａは、撮像素子１０１から出力された画像信号を用いて画素数をダウンサイズさせることなく静止画データを生成する。そして、記録制御部１０４ｇは、静止画処理部１０５ａにより生成された静止画データを内部メモリ１０３の静止画格納領域に一時的に格納する。動画撮影が終了すると、記録制御部１０４ｇは、内部メモリ１０３に格納されている動画データおよび静止画データをメモリカード１１１に記録する。動画撮影中に静止画データが連続して複数枚生成され、内部メモリ１０３に格納されている場合には、記録制御部１０４ｇは、複数枚の静止画データのうち、最も合焦状態の良い静止画データのみをメモリカード１１１に記録する。
【００２７】
−自動撮影処理−
制御回路１０４は、動画撮影中に動画処理部１０５ｂによりフレーム画像化された画像データが生成されるごとに、各フレーム画像が後述する静止画取得条件を満たすか否かを判断する。静止画取得条件を満たすと判断した場合には、制御回路１０４は撮影準備の指示が行われたものと判定し、焦点調節部１０４ａは、静止画撮影用に撮影レンズＬ１の焦点状態の検出および焦点状態の調節を行う。以後、第１撮影枚数設定部１０４ｂ、第２撮影枚数設定部１０４ｄ、枚数変更判定部１０４ｅによって上述した手動撮影処理において説明した処理と同様の処理が行われると、制御回路１０４は撮影指示が行われたものと判定する。そして、静止画撮影制御部１０４ｆおよび記録制御部１０４ｇは、上述した手動撮影処理において説明した処理と同様の処理を行う。
【００２８】
上述した静止画取得条件の例として、連続して出力されるフレーム画像の平均輝度に所定の幅を超えた変化がある場合や、出力されたフレーム画像に人物の顔が認識された場合等がある。フレーム画像の平均輝度が所定の幅を超えた変化がある場合は、被写体を撮影するシーンが大きく変化したと見なすことができるので、そのシーンの変化を静止画取得条件とすることができる。フレーム画像に人物の顔が認識された場合には、制御回路１０４は予め登録してある特定の顔と一致した場合のみ静止画取得条件が満たされたと判断してもよい。また、デジタルカメラ１が外部の音声を集音するマイクを備える場合には、動画撮影中に所定の音量以上の音声を認識した場合を静止画取得条件としてもよい。この場合には、特に、特定の音声を認識した場合のみ、制御回路１０４は静止画取得条件が満たされたと判断してもよい。
【００２９】
図３に示すフローチャートを参照しながら、第１の実施の形態によるデジタルカメラ１の動作を説明する。図３の処理は制御回路１０４でプログラムを実行して行われる。このプログラムは、メモリ（不図示）に格納されており、ユーザの操作部１０９の操作により動画撮影が開始されると制御回路１０４により起動され、実行される。
【００３０】
ステップＳ１においては、焦点調節部１０４ａは、動画撮影用に撮影レンズＬ１の焦点状態の検出し、撮影レンズＬ１を合焦位置へ駆動させるとともに、撮影レンズＬ１の調節量を算出してステップＳ２へ進む。ステップＳ２においては、制御回路１０４は、画像処理部１０５の動画処理部１０５ｂに対して、撮像素子１０１から出力された画像信号を用いて動画データに含まれるフレーム画像を生成させてステップＳ３へ進む。
【００３１】
ステップＳ３においては、第２撮影枚数設定部１０４ｃは、ステップＳ１において焦点調節部１０４ａにより算出された調節量に基づいて、静止画の撮影準備が指示された際の撮影枚数を設定してステップＳ４へ進む。なお、上述したように、第２撮影枚数設定部１０４ｃは、撮影レンズＬ１の調節量が所定量以上の場合には撮影枚数を複数枚（本実施の形態では５枚）に設定し、調節量が所定量未満の場合には撮影枚数を１枚に設定する。
【００３２】
ステップＳ４においては、制御回路１０４は、静止画の撮影準備の指示が行われたか否かを判定する。ユーザによるレリーズボタンの半押し操作に応じて操作部１０９から操作信号が出力された場合、または、静止画取得条件が満たされた場合には、撮影準備が指示されたと判定して、ステップＳ４が肯定判定されてステップＳ５へ進む。撮影準備が指示されていないと判定された場合には、ステップＳ４が否定判定されてステップＳ１へ戻る。
【００３３】
ステップＳ５においては、焦点調節部１０４ａは、静止画撮影用に焦点状態の検出を行い、撮影レンズＬ１を合焦位置へ駆動させるとともに、撮影レンズＬ１の調節量を算出してステップＳ６へ進む。ステップＳ６においては、第１撮影枚数設定部１０４ｂは、ステップＳ５にて算出された撮影レンズＬ１の調節量に基づいて、静止画の撮影枚数を設定してステップＳ７へ進む。なお、上述したように、第１撮影枚数設定部１０４ｂは、撮影レンズＬ１の調節量が所定量以上の場合には撮影枚数を複数枚（本実施の形態では５枚）に設定し、調節量が所定量未満の場合には撮影枚数を１枚に設定する。
【００３４】
ステップＳ７においては、枚数変更判定部１０４ｅは、ステップＳ３にて第２撮影枚数設定部１０４ｄにより設定された撮影枚数と、ステップＳ６にて第１撮影枚数設定部１０４ｃにより設定された撮影枚数とを比較し、両者が異なるか否かを判定する。撮影枚数が異なる場合には、ステップＳ７が肯定判定されてステップＳ８へ進む。ステップＳ８においては、枚数変更判定部１０４ｅは、静止画の撮影枚数をステップＳ６にて第１撮影枚数設定部１０４ｃにより設定された撮影枚数に変更して設定して、ステップＳ９へ進む。撮影枚数が同じ場合には、ステップＳ７が否定判定されてステップＳ９へ進む。
【００３５】
ステップＳ９においては、制御回路１０４は静止画の撮影指示が行われたか否かを判定する。撮影指示が行われた場合には、ステップＳ９が肯定判定されてステップＳ１０へ進む。撮影指示が行われない場合には、ステップＳ９が否定判定されて、当該判定処理を繰り返す。ステップＳ１０においては、静止画撮影制御部１０４ｆは、設定された静止画の撮影枚数が複数枚か１枚かを判定する。静止画の撮影枚数が複数枚に設定されている場合には、ステップＳ１０が肯定判定されてステップＳ１１へ進む。静止画の撮影枚数が１枚に設定されている場合には、ステップＳ１０が否定判定されて後述するステップＳ１６へ進む。ステップＳ１１においては、静止画撮影制御部１０４ｆは、撮像素子１０１およびＡ／Ｄ変換器１０２を制御して画像信号を出力させ、画像処理部１０５の静止画処理部１０５ａに画像信号に基づいて静止画データを生成させてステップＳ１２へ進む。生成された静止画データは、記録制御部１０４ｇにより内部メモリ１０３に一時的に格納される。
【００３６】
ステップＳ１２においては、静止画撮影制御部１０４ｆは、設定された静止画の撮影枚数分の静止画データが生成されたか否かを判定する。設定された撮影枚数分の静止画データが生成された場合には、ステップＳ１２が肯定判定されて、後述するステップＳ１４へ進む。設定された撮影枚数分の静止画データが生成されていない場合には、ステップＳ１２が否定判定されてステップＳ１３へ進む。ステップＳ１３では、焦点調節部１０４ａは、ステップＳ５と同様に、静止画撮影用に焦点状態の検出を行い、撮影レンズＬ１を合焦位置へ駆動させてステップＳ１１へ戻る。
【００３７】
ステップＳ１４では、制御回路１０４により、動画撮影が終了か否かを判定する。ユーザによる動画撮影の終了操作に応じて操作部１０９から操作信号が出力された場合には、ステップＳ１４が肯定判定されてステップＳ１５へ進む。動画撮影の終了操作が行われていない場合には、ステップＳ１４が否定判定されてステップＳ１へ戻る。ステップＳ１５では、記録制御部１０４ｇは、内部メモリ１０３に格納された複数の静止画データのうち、最も合焦状態の良い静止画データをメモリカード１１１に記録して処理を終了する。
【００３８】
ステップＳ１０が否定判定されて進んだステップＳ１６においては、静止画撮影制御部１０４ｆは、ステップＳ１１と同様に、撮像素子１０１およびＡ／Ｄ変換器１０２を制御して画像信号を出力させ、画像処理部１０５の静止画処理部１０５ａに画像信号に基づいて静止画データを生成させてステップＳ１７へ進む。ステップＳ１７においては、制御回路１０４は、ステップＳ１４における処理と同様に、動画撮影が終了か否かを判定する。動画撮影を終了しない場合には、ステップＳ１７が否定判定されてステップＳ１へ戻る。動画撮影を終了する場合には、ステップＳ１７が肯定判定されてステップＳ１８へ進む。ステップＳ１８では、記録制御部１０４ｇは、生成された静止画データをメモリカード１１１に記録して処理を終了する。
【００３９】
上述した第１の実施の形態によるデジタルカメラによれば、次の作用効果が得られる。
（１）調節量判定部１０４ｂは、動画データを生成している際に、静止画撮影準備指示に応じて焦点調節部１０４ａによる撮影レンズｌ１の調節が行われたときの、撮影レンズＬ１の調節量が所定量以上か否かを判定し、第１撮影枚数設定部１０４ｃは、調節量判定部１０４ｂにより撮影レンズＬ１の調節量が所定量以上の場合には、静止画の撮影枚数を複数枚に設定し、調節量が所定量未満の場合には、静止画の撮影枚数を１枚に設定する。そして、静止画撮影制御部１０４ｆは、第１撮影枚数設定部１０４ｃにより設定された撮影枚数の静止画データを生成させるようにした。したがって、撮影対象とする被写体に動きがあるような場合には、複数枚の静止画を生成することができるので、動画撮影中であっても合焦状態の良好な静止画を取得する可能性を高めることができる。さらに、動きの少ない被写体に対しては最小限の静止画の生成を行うので、動画撮影中の処理負荷を低減することができる。
【００４０】
（２）第２撮影枚数設定部１０４ｄは、静止画撮影準備指示が受け付けられるまでは、動画データが生成されている間に焦点調節部１０４ａによる撮影レンズＬ１の調節量に応じて静止画の撮影枚数を設定し、枚数変更判定部１０４ｅは、静止画撮影準備指示が受け付けられた場合には、調節量判定部１０４ｂによる判定結果に応じて第２撮影枚数設定部１０４ｄによって設定された撮影枚数の変更の要否を判定する。撮影枚数の変更が必要と判定された場合には、静止画撮影制御部１０４ｆは、第１撮影枚数設定部１０４ｃにより設定された撮影枚数の静止画を生成させる。したがって、動画撮影用の焦点調節の結果と、静止画撮影用の焦点調節の結果とのうち、焦点調節精度の高い静止画撮影用の焦点調節の結果に基づいて静止画の撮影枚数を設定するので、動画撮影中であっても合焦状態の良好な高画質の静止画を生成できる。
【００４１】
（３）第１撮影枚数設定部１０４ｃにより静止画の撮影枚数が複数枚に設定されている場合には、静止画撮影制御部１０４ｆは、連続して複数枚の静止画データを生成させるようにした。したがって、被写体に動きがある場合であっても、動画撮影中にユーザが所望するタイミングにおいて合焦状態が良好な静止画を取得する可能性を向上できる。
【００４２】
（４）記録制御部１０４ｇは、連続して複数枚生成され、内部メモリ１０３に格納された静止画データのうち、最も合焦状態が高い静止画データをメモリカード１１１に記録するようにした。この結果、合焦状態が良好ではないいわゆる失敗画像は記録しないので、メモリカード１１１の記録領域を確保することができる。
【００４３】
−第２の実施の形態−
本発明によるデジタルカメラの第２の実施の形態を説明する。以下の説明では、第１の実施の形態と同じ構成要素には同じ符号を付して相違点を主に説明する。特に説明しない点については、第１の実施の形態と同じである。本実施の形態では、顔認識処理の結果も考慮して動画撮影中における静止画の撮影枚数を設定する点で第１の実施の形態とは異なる。
【００４４】
図４は、第２の実施の形態によるデジタルカメラ１の要部構成を示すブロック図である。第２の実施の形態によるデジタルカメラ１の制御回路１０４は、顔認識部１０４ｈをさらに機能として備える。顔認識部１０４ｈは、静止画の撮影準備の指示に応じて焦点調節部１０４ａによる焦点状態の検出および撮影レンズＬ１の駆動が行われた後に、撮像素子１０１から出力された画像信号に基づいて、動画処理部１０５ｂにより生成された動画データ（フレーム画像）に対して、公知の顔認識処理を行う。顔認識部１０４ｈにより画像上で人物の顔が認識されない場合には、制御回路１０４は、第１の実施の形態にて説明した処理と同様の処理を行う。
【００４５】
顔認識部１０４ｈにより画像上で人物の顔が認識された場合には、調節量判定部１０４ｂは、認識された人物の顔に対して合焦状態であるか否かを判定する。すなわち、認識された人物の顔に対する撮影レンズＬ１の調節量が所定量未満の場合には、調節量判定部１０４ｂは、人物の顔に対して合焦状態であると判定する。
【００４６】
ユーザによりレリーズボタンの半押し操作が行われず、静止画の撮影準備が指示されていないときには、第２撮影枚数設定部１０４ｄは、調節量判定部１０４ｂにより合焦状態であると判定された場合には、静止画の撮影枚数を１枚に設定し、合焦状態ではないと判定された場合には、静止画の撮影枚数を複数枚（たとえば５枚）に設定する。ユーザによりレリーズボタンの半押し操作が行われ、静止画の撮影準備が指示されると、第１撮影枚数設定部１０４ｃは、調節量判定部１０４ｂにより合焦状態であると判定された場合には、静止画の撮影枚数を１枚に設定し、合焦状態ではないと判定された場合には、第１撮影枚数設定部１０４ｃは、静止画の撮影枚数を複数枚（たとえば５枚）に設定する。以後の処理は、第１の実施の形態にて説明した処理と同様の処理を行う。なお、顔認識部１０４ｈにより複数の人物の顔が認識された場合には、調節量判定部１０４ｂは、何れか一人の人物の顔に合焦している場合に合焦状態と判定してもよいし、複数の人物のうちの所定数（たとえば全人物のうちの半数）の人物の顔に合焦している場合に合焦状態と判定してもよい。以後、制御回路１０４は、第１の実施の形態にて説明した処理と同様の処理を行う。
【００４７】
図５に示すフローチャートを参照しながら、第２の実施の形態によるデジタルカメラ１の動作を説明する。図５の処理は制御回路１０４でプログラムを実行して行われる。このプログラムは、メモリ（不図示）に格納されており、ユーザの操作部１０９の操作により動画撮影が開始されると制御回路１０４により起動され、実行される。なお、図７においては、図３のフローチャートにおける処理と同一の処理を行うステップについては、同一のステップ番号を付与し、説明を省略する。
【００４８】
ステップＳ５において焦点調節部１０４ａにより静止画の撮影用に焦点状態の検出が行われ、撮影レンズＬ１が合焦位置へ移動した後に進んだステップＳ２１では、顔認識部１０４ｈは、フレーム画像を用いて人物の顔認識を行い、画像上に人物の顔が認識されたか否かを判定する。人物の顔が認識されない場合には、ステップＳ２１が否定判定されてステップＳ６へ進み、以後、図３を用いて説明した処理と同様の処理が行われる。人物の顔が認識された場合にはステップＳ２１が肯定判定されてステップＳ２２へ進む。
【００４９】
ステップＳ２２では、調節量判定部１０４ｂは、認識された人物に対して合焦状態となっているか否かを判定する。人物に対して合焦状態とはなっていない場合には、ステップＳ２２が否定判定されてステップＳ２３へ進む。人物に対して合焦状態となっている場合には、ステップＳ２２が肯定判定されてステップＳ２４へ進む。ステップＳ２３では、第１撮影枚数設定部１０４ｃは、静止画の撮影枚数を複数枚（５枚）に設定してステップＳ７へ進む。ステップＳ２４では、第１撮影枚数設定部１０４ｃは、静止画の撮影枚数を１枚に設定してステップＳ７へ進む。ステップＳ７以降の処理については、図３を用いて説明した処理と同様の処理が行われる。
【００５０】
以上で説明した第２の実施の形態によるデジタルカメラによれば、第１の実施の形態により得られる作用効果に加えて、以下の作用効果が得られる。
顔認識部１０４ｈは、画像上の人物の顔を認識し、調節量判定部１０４ｂは、撮影準備指示に応じて顔認識部１０４ｈによって認識された人物の顔に対する撮影レンズＬ１の調節量が所定量以上か否かを判定するようにした。この結果、動画撮影中に動きのある人物を被写体として静止画撮影する場合であっても、背景等の他の被写体に合焦することを防ぎ、人物に対する合焦状態が良好な静止画を得ることができる。
【００５１】
次のような変形も本発明の範囲内であり、変形例の一つ、もしくは複数を上述の実施形態と組み合わせることも可能である。
（１）第２撮影枚数設定部１０４ｄ、枚数変更判定部１０４ｅを備えないものについても本発明の一態様に含まれる。すなわち、撮影準備が指示された場合にのみ静止画の撮影枚数を設定する。この場合、図３、図５のステップＳ３、Ｓ７、Ｓ８は行われない。
【００５２】
（２）第２撮影枚数設定部１０４ｄは、ユーザによる設定操作に応じて撮影枚数を設定してもよい。この場合、ユーザは、たとえば液晶表示器１０８に表示されるメニュー画面から撮影枚数を設定可能となるように構成されていればよい。
【００５３】
（３）静止画撮影制御部１０４ｆは、複数枚の静止画を生成させている際に、設定された撮影枚数分の静止画が撮影される前であっても、合焦状態が良好な静止画が撮影された場合には、その時点で静止画の撮影を終了させてもよい。
【００５４】
（４）複数枚設定する際には、調節量に比例して静止画の撮影枚数を増加させてもよい。ただし、動画データの生成を妨げない枚数とするのが好ましい。
（５）調節量が所定量未満の場合に静止画の撮影枚数を１枚とするものに限定されず、撮影枚数が複数枚に設定されるものであってもよい。この場合、調節量が所定量以上の場合に設定される撮影枚数よりも少ない撮影枚数に設定されるのが好ましい。
【００５５】
本発明の特徴を損なわない限り、本発明は上記実施の形態に限定されるものではなく、本発明の技術的思想の範囲内で考えられるその他の形態についても、本発明の範囲内に含まれる。
【符号の説明】
【００５６】
１…デジタルカメラ、１０１…撮像素子、
１０４…制御回路、１０４ａ…焦点調節部、
１０４ｂ…調節量判定部、１０４ｃ…第１撮影枚数設定部、
１０４ｄ…第２撮影枚数設定部、１０４ｅ…枚数変更判定部、
１０４ｆ…静止画撮影制御部、１０４ｇ…記録制御部、
１０４ｈ…顔認識部、１０５…画像処理部、
１０５ａ…静止画処理部、１０５ｂ…動画処理部
【図１】
2015088893.tif 000003
【図２】
2015088893.tif 000004
【図３】
2015088893.tif 000005
【図４】
2015088893.tif 000006
【図５】
2015088893.tif 000007